(57)【要約】      （修正有）【課題】ケースと本体の固定や解除に、ケースと本体を固定したり解除したりする作業を、片手で簡単に行うことができる印褥具を提供する。【解決手段】開放端１１を有するケース１と、インキパッド３を容器４に保持させた本体２からなり、前記ケース１の開放端１１から前記本体２を出し入れできる印褥具において、前記ケース１のうち、前記開放端１１と対向する端面に、磁石を配設した可動吸着体を配置し、前記可動吸着体と対向する位置に、磁石を配設した固定吸着部９を配置し、前記可動吸着体側の磁石を、作動手段を介して、前記固定吸着部９側の磁石の対極又は同極と対設可能に設け、前記可動吸着体側の磁石と前記固定吸着部９側の磁石が対極に対設する場合は、互いに吸着して本体２を保持し、また、同極に対設する場合は、互いに反発し合って本体２の保持を解除して開放するようにした。【選択図】図５
2010069812.tif 000002
【特許請求の範囲】
【請求項１】
開放端を有するケースと、インキパッドを容器に保持させた本体からなり、前記ケースの開放端から前記本体を出し入れできる印褥具において、
前記ケースのうち、前記開放端と対向する端面に、磁石を配設した可動吸着体を配置し、
前記本体のうち、前記可動吸着体と対向する位置に、磁石を配設した固定吸着部を配置し、
前記可動吸着体側の磁石を、作動手段を介して、前記固定吸着部側の磁石の対極又は同極と対設可能に設け、
前記可動吸着体側の磁石と前記固定吸着部側の磁石が対極に対設する場合は、互いに吸着して本体を保持し、また、同極に対設する場合は、互いに反発し合って本体の保持を解除して開放するようにしたことを特徴とする印褥具。
【請求項２】
前記開放端と対向する端面のうち、外端面に前記可動吸着体を配置し、前記開放端に蓋体を配設したことを特徴とする請求項１に記載の印褥具。
【発明の詳細な説明】
【技術分野】
【０００１】
本発明は、スタンプ台、朱肉等の印褥具に関するものである。
【背景技術】
【０００２】
特許文献１は本願出願人が開示した印褥具であるが、当該印褥具は引き出し式であるため、使用していないとき偶発的にパッドが露出することがなく、また、ケースにガイド穴及び本体にガイド用凸部を設けたため、相互の抜け落ち及び紛失を防止することができる。
特許文献２に開示された印箱は、スタンプ台を印箱から出す際、伸張弾機の反発力を利用して迅速に行うことができる。
【特許文献１】実公平０６−３０４５５号公報
【特許文献２】実用新案登録第３００１９３５号公報
【発明の開示】
【発明が解決しようとする課題】
【０００３】
しかしながら、特許文献１の印褥具は、ケースを押さえながら本体を引き出すため、本体をケースより引き出す際の手指のスベリ止めとして、ケースリブ（符号１９）や本体リブ（符号２０）が別途必要であり、また、このような構成のため、片手で本体を引き出すことは不可能である。
また、特許文献２の印箱は、スタンプ台を印箱内に固定する際、前記伸張弾機（符号４０）の反発力に抗うために、ガイド子（符号３７）と固定停止凹溝（符号４４）を別途必要とするので、構成が複雑となり、比較的小型の印褥具には不向きである。
【課題を解決するための手段】
【０００４】
上記の課題を解決するために完成された第１の発明の印褥具は、開放端を有するケースと、インキパッドを容器に保持させた本体からなり、前記ケースの開放端から前記本体を出し入れできる印褥具において、前記ケースのうち、前記開放端と対向する端面に、磁石を配設した可動吸着体を配置し、前記本体のうち、前記可動吸着体と対向する位置に、磁石を配設した固定吸着部を配置し、前記可動吸着体側の磁石を、作動手段を介して、前記固定吸着部側の磁石の対極又は同極と対設可能に設け、前記可動吸着体側の磁石と前記固定吸着部側の磁石が対極に対設する場合は、互いに吸着して本体を保持し、また、同極に対設する場合は、互いに反発し合って本体の保持を解除して開放するようにしたことを特徴とする。
また、第２の発明の印褥具は、前記開放端と対向する端面のうち、外端面に前記可動吸着体を配置し、前記開放端に蓋体を配設したことを特徴とする第１の発明の印褥具である。
【発明の効果】
【０００５】
本発明は、ケースと本体の固定や解除に、磁石の吸着力と反発力を利用しているため、ケースと本体を固定したり解除したりする作業を、片手で簡単に行うことができる。そのため、ケースから本体を引き出すための、ケースリブや本体リブ（特許文献１に記載）を別途必要としない。
また、磁石の吸着力および反発力は非接触でも働くため、前記可動吸着体を外端面に配置した場合でも、ケースと本体の固定や解除に磁石の吸着力と反発力を利用できる。さらに、開放端に蓋体を配設することで、気密性の高い印褥具を作製することができる。このような気密性の高い印褥具は、揮発性溶剤を含むインキを使用する場合、特に有効である。
【発明を実施するための最良の形態】
【０００６】
次に、本発明の第１の実施例を図１〜図１０、図１２〜図１４に基づいて詳細に説明する。
ケース１は直方体の一側面を開口した開放端１１を有する略箱型で、ポリブチレン-テレフタレート（ＰＢＴ）樹脂、ＡＢＳ樹脂、ポリエチレン、ポリプロピレン等の合成樹脂製である。
【０００７】
本体２は、インキパッド３を容器４に保持させた構成からなる。インキパッド３は、インキ吸蔵体５と表布６とからなり、容器４に接着保持される。また、表布６を枠体７に融着した場合は、前記インキ吸蔵体５を容器４内に載置した後、容器４に前記枠体７を被着する。この際、容器４に枠体７を被着する方法は、超音波融着、凹凸による嵌着等の従来の方法を使用できる。
そして、前記本体２は、前記ケース１の開放端１１からケース１内に収納される。
【０００８】
前記インキ吸蔵体５は、下からクッション材５１、タンクフェルト５２を順に積層し刺し加工により一体品としたもので、タンクフェルト５２は必要に応じて多層にしてもよいものである。クッション材５１の材質としては、発泡ポリエチレンや発泡ポリスチレン等が挙げられ、タンクフェルト５２の材質としては、羊毛等の天然繊維または、合成繊維（ポリエステル、ポリアミド、アクリル等）からなるインキを含浸（吸蔵）保持出来るフェルトである。特に材質はインキを含浸保持出来るものであれば問わないが、本発明では、インキ吸蔵体５は、発泡ポリエチレンのクッション材５１の上に、タンクフェルト５２を積層し、刺し加工により一体品としたものを用いる。タンクフェルト５２は、材質が単糸繊度３．０デシテックスポリエステル繊維で、目付け８００ｇ／ｍ２、厚さ５ｍｍのポリエステル繊維フェルトの上に、材質が単糸繊度が１．５デシテックスポリエステル繊維で、目付け１５０ｇ／ｍ２、厚さ１ｍｍのポリエステル繊維フェルトを積層したものである。
【０００９】
容器４は、ポリブチレン-テレフタレート（ＰＢＴ）樹脂、ＡＢＳ樹脂、ポリエチレン、ポリプロピレン等の合成樹脂製であり、その形状は上面が開口した略直方体の箱型である。容器４には略直方体のインキパッド３が収容されている。ここで、容器４の形状は、略直方体の箱型に限定されるものでなく、必要に応じてその底面を円形や他の多角形にすることも可能である。
【００１０】
インキパッド３の上方は略長方形の表布６により覆われている。前記表布６に使用できる繊維は、天然繊維や化学繊維が種々採用可能である。例えば、天然繊維としては、綿、麻等の植物繊維や、絹、羊毛等の動物繊維が採用可能であり、また、化学繊維の内、合成繊維としては、ポリエステル、アクリル、ナイロン、ビニロン、ポリプロピレン、ポリ塩化ビニル、ポリエチレン、ビニリデン、ポリウレタン、アラミド等が採用可能である。
ここで、インキパッド３と前記表布６の間に調節体を挟持させてもよい。調節体には、不織布や合成繊維織物を用いることができる。材質としては、綿、麻、絹、羊毛等の天然繊維や、前記インキパッド３の説明で記載した合成繊維を採用可能である。
【００１１】
表布６の外周端近傍はプラスチック製の枠体７の上面に固着されている。枠体７は、ポリブチレン-テレフタレート（ＰＢＴ）樹脂、ＡＢＳ樹脂、ポリエチレン、ポリプロピレン等の合成樹脂製であり、その形状は上下端面が開口した略長方形の枠体である。表布６と枠体７の固着は、超音波溶着機を用いて行われる。
【００１２】
また、インキパッド３に含浸されるインキは、顔料系、染料系、油性系、水性系を問わず、印褥具用インキとして知られているもの全てが適宜使用可能であるが、例えば、チクソトロピー性を有する油性顔料系インキを用いることができ、インキの粘度は、高粘度側で１０００〜１４００ｍＰａｓ（ＢＬ型粘度計 Ｎｏ．３ローター ６回転）、低粘度側で７００〜９００ｍＰａｓ（ＢＬ型粘度計 Ｎｏ．３ローター ６０回転）を用いることができる。また、コート紙、プラスチックフィルム、アルミニウム、鉄等の難吸収紙や非吸収材に押印するための速乾性油性インキとして、速乾性溶剤に着色剤や樹脂等を溶解混合した油性インキを用いることができる。
【００１３】
前記ケース１のうち、前記開放端１１と対向する端面１２に設けた摺動孔１３に、磁石８４を配設した可動吸着体８を摺動自在に配置する。
【００１４】
前記可動吸着体８は、ブロック形状の釦部８１と、この釦部８１の両側端に設けられた係合溝８２とから構成されている。前記釦部８１の底面には、磁石用穴８３が形成され、この磁石用穴８３に磁石８４が接着、嵌着等で配設されている。前記磁石８４としては、既知のものを利用でき、例えばフェライト磁石、ネオジム磁石、アルニコ磁石等の永久磁石が挙げられる。また、ここで配設とは、位置を決めて設けることをいう。
【００１５】
前記可動吸着体８が前記摺動孔１３に配置されると、前記係合溝８２と前記摺動孔１３の縁部１３１が係合して、前記可動吸着体８の抜けが防止されるため、前記可動吸着体８は、前記摺動孔１３内において遊嵌される。そして、前記摺動方向において、可動吸着体８の長さを、摺動孔１３の長さより短くすることで、可動吸着体８は、摺動孔１３内において繰り返し往復運動が可能となる。このようにケース１の端面１２に前記可動吸着体８を往復運動可能に配置する方法を、作動手段とする。
【００１６】
前記本体２のうち、前記可動吸着体８と対向する側面２１に、磁石９１を配設した固定吸着部９を配置する。前記固定吸着部９は、磁石用穴９２に、磁石９１を接着、嵌着等で配設し構成される。前記磁石用穴９２は、前記側面２１に形成する。磁石９１の面は、前記側面２１とほぼ同一面となるように構成される。
【００１７】
前記可動吸着体８側の磁石８４は、前記作動手段によって、前記固定吸着部９側の磁石９１の磁極に対して、対極にしたり同極にしたりと、適宜対向するように位置付けることができる。ここで、対設とは、このように対向するように位置付けることをいい、対極とはＮ極とＳ極のことを、同極とはＳ極とＳ極、Ｎ極とＮ極のことをいう。
そして、前記可動吸着体８側の磁石８４と前記固定吸着部９側の磁石９１が対極に対設する場合は、互いに吸着し合って本体２を保持し、また、同極に対設する場合は、互いに反発し合って本体２の保持を解除し、本体２を開放する。ここで、磁石８４と磁石９１が対極に対設する位置を保持位置、磁石８４と磁石９１が同極に対設する位置を解除位置とする。保持位置と解除位置は、前記摺動孔１３の両端に位置させることが好ましい。
【００１８】
ここで、前記可動吸着体８側の磁石８４と前記固定吸着部９側の磁石９１をどのように配置させて前記本体２の保持と解除を行うかは、種々採用可能である。
その組み合わせとして、例えば、前記可動吸着体８に磁石８４を縦に１個配設し、前記固定吸着部９に磁石９１を縦に２個配設する場合（図１２  Ａ１）、同様に磁石８４を縦に１個配設し、磁石９１を横に１個配設する場合（図１２  Ａ２）、同様に磁石８４を縦に２個配設し、磁石９１を縦に２個配設する場合（図１３  Ｂ１）、同様に磁石８４を縦に２個配設し、磁石９１を横に１個配設する場合（図１３  Ｂ２）、同様に磁石８４を横に１個配設し、磁石９１を縦に２個配設する場合（図１４  Ｃ１）、同様に磁石８４を横に１個配設し、磁石９１を横に１個配設する場合（図１４  Ｃ２）が考えられる。いずれも、前記作動手段によって、前記可動吸着体８側の磁石８４を、前記固定吸着部９側の磁石９１の磁極に対して、対極にしたり同極にしたりするものである。
ここで、磁石の性質上、端面同士を作用させた方が吸着力および反発力が強いため、図１２のＡ１や図１３のＢ１のように配置させる方がより好ましい。
【００１９】
本発明の第１の実施例は以上のような構成であり、次にその作用について詳細に説明する。
本発明の印褥具は、前記ケース１内に本体２が収納されているとき、前記可動吸着体８の磁石８４と前記固定吸着部９の磁石９１が対極に対設して互いに吸着するため、本体２は、ケース１内で吸着保持される。このとき、可動吸着体８は、前記保持位置に位置する。
印褥具を使用するため、前記本体２を前記ケース１から取り出すには、前記可動吸着体８を前記保持位置から解除位置に向かって移動させる。具体的には、摺動孔１３内において、前記可動吸着体８を他方端に向かって移動させる。すると、前記磁石８４と前記磁石９１の吸着が徐々に解除されると同時に、反発し合うようになる。その後、解除位置に到達すると本体２の保持は解除され、本体２は、磁石間の反発力によりケース１から飛び出すように開放される。このようにして、本体２は、前記ケース１から取り出すことができる。
印褥具を使用した後、ケース１内に本体２を差し込むと、磁石間の反発力で前記可動吸着体８は保持位置に移動して、前記可動吸着体８の磁石８４と前記固定吸着部９の磁石９１が吸着するため、本体２は、ケース１内で吸着保持される。
このように、本体２の固定や解除に磁石の吸着力と反発力を利用しているため、これらの作業を片手で簡単に行うことができる。
【００２０】
ここで、前記ケース１内の両内側面に側溝１４を設け、本体２の両側面に前記側溝１４に遊嵌される突起２２を設けて、本体２を、ケース１内において抜き差しする際のガイドとしてもよい。またその際、本体２がケース１から離脱しないように、前記側溝１４の開放端側の端にストッパー部１４１を設けることが好ましい。この場合、ケース１の開放端を上下に少し開き、本体２の突起２２をケース１の側溝１４に挿入した後、開放端に加えている力を解消することにより、ケース１の反発力によってケース１が元の状態に戻ることで組立てることができる。
使用時は、本体２をケース１より取り出して使用するが、その際、本体２は突起２２が側溝１４の端に設けたストッパー部１４１で停止するので、ケースから本体が離脱するおそれがない。このような構成とすると、本体２が誤ってケース１から外れて落下して、他をインキで汚損することがない。
【００２１】
次に、本発明の第２の実施例を図１１に基づいて詳細に説明する。前記第１の実施例と重複する箇所は省略する。
【００２２】
前記開放端１１と対向する端面１２のうち、外端面に前記可動吸着体８を配置する。ここで、外端面とは、端面１２の外側をいう。その方法としては、端面１２の外側に設けた摺動溝１５に、磁石８４を配設した可動吸着体８を摺動自在に配置する。
【００２３】
前記可動吸着体８は、ブロック形状の釦部８１と、この釦部８１の両側端に突設された翼片部８５とから構成されている。
【００２４】
前記摺動溝１５には、可動吸着体８が摺動する方向に対して平行な両側端の上縁に、ガイド片１５１が突設される。前記可動吸着体８が前記摺動溝１５に配置されると、前記翼片部８５の上面と前記ガイド片１５１の下面が係合して外側への抜けが防止されるため、前記可動吸着体８は、前記摺動溝１５内において遊嵌される。そして、前記摺動方向において、可動吸着体８の長さを、摺動溝１５の長さより短くすることで、可動吸着体８は、摺動溝１５内において繰り返し往復運動が可能となる。このようにケース１の端面１２に前記可動吸着体８を往復運動可能に配置する方法を、作動手段とする。ここで、前記摺動溝１５に突設されるガイド片１５１は、ケース１に一体成形されてもよいし、別部材を接着、嵌着することで形成されてもよい。
【００２５】
また、前記開放端１１に蓋体１０を着脱自在に配設する。ケース１内を密閉するように気密を保持できるのであれば、蓋体１０は、ケース１と離脱するように配設しても、ヒンジ等で接続するように配設してもよい。蓋体１０をケース１に配設する方法は、嵌合を採用できる。
また、当該蓋体１０を第１の実施例で採用することも当然可能である。
【００２６】
本発明の第２の実施例は以上のような構成であり、次にその作用について詳細に説明する。
前記可動吸着体８の作動方法は前記第１の実施例と同様である。しかし、第２の実施例では、可動吸着体８が端面１２の外側に配置されている点で異なる。これは、磁石の吸着力および反発力が非接触でも働くことを利用して、前記可動吸着体８を端面１２の外側に配置した場合でも、ケースと本体の固定や解除を行うことができる。このような構成とすることで、例えば揮発性溶剤を使用したインキを用いた場合、端面１２に摺動孔１３のような開口部を設ける必要がなく、ケース１内の気密を保持する点で有利である。この場合、開放端１１に蓋体１０を配設して気密を保持さえすればよい。
【００２７】
尚、本発明を前記実施例により説明したが、本発明は前記実施形態に何ら限定されるものではなく、本発明の要旨を逸脱しない範囲内で種々の改良、変形が可能であることは勿論である。
【図面の簡単な説明】
【００２８】
【図１】第１の実施例の保持位置の斜視図
【図２】図１の左側面図
【図３】図１の背面図
【図４】図２のＡ−Ａ断面図
【図５】第１の実施例の解除位置の斜視図
【図６】図５の左側面図
【図７】図５の背面図
【図８】図５のＢ−Ｂ断面図
【図９】図６のＣ−Ｃ断面図
【図１０】図８のＤ部拡大図
【図１１】第２の実施例のＤ部拡大図
【図１２】磁石の組み合わせ第１説明図
【図１３】磁石の組み合わせ第２説明図
【図１４】磁石の組み合わせ第３説明図
【符号の説明】
【００２９】
１      ケース
１１    開放端
１２    端面
１３    摺動孔
１４    側溝
１４１  ストッパー部
１５    摺動溝
１５１  ガイド片
２      本体
２１    側面
２２    突起
３      インキパッド
４      容器
５      インキ吸蔵体
５１    クッション材
５２    タンクフェルト
６      表布
７      枠体
８      可動吸着体
８１    釦部
８２    係合溝
８３    磁石用穴
８４    磁石
８５    翼片部
９      固定吸着部
９１    磁石
９２    磁石用穴
１０    蓋体
【図１】
2010069812.tif 000003
【図２】
2010069812.tif 000004
【図３】
2010069812.tif 000005
【図４】
2010069812.tif 000006
【図５】
2010069812.tif 000007
【図６】
2010069812.tif 000008
【図７】
2010069812.tif 000009
【図８】
2010069812.tif 000010
【図９】
2010069812.tif 000011
【図１０】
2010069812.tif 000012
【図１１】
2010069812.tif 000013
【図１２】
2010069812.tif 000014
【図１３】
2010069812.tif 000015
【図１４】
2010069812.tif 000016